(57)【要約】      （修正有）【課題】移動式筆記ボードが移動するときの衝撃や衝突音を無くすとともに、調整や保守が不要な緩衝装置を提供する。【解決手段】支持フレーム２のスライドガイド３，４に、下方に行くに連れて高さが高くなるスロープ部と、そのスロープ部の頂部の下部に設けられた凹部と、その凹部の下部に突出して設けられ、スロープ部の頂部の高さよりも高いストッパ部とからなるローラ受け体７を取り付ける。さらに、ホワイトボード５のスライドガイド３，４側の端部に、緩衝装置ケース９を取り付け、ローラ受け体７のスロープ部、凹部、ストッパ部に係合するローラ１２を先端に回転自在に設けたローラアーム１０の基端を、緩衝装置ケース９に設けた支持軸１１を中心にして回動可能に設け、緩衝装置ケース９に、第１スプリングと、第２スプリングと、ローラアーム１０の回動動作を緩慢にさせるアブソーバとを設ける。【選択図】図１
0003172931.tif 000002
【実用新案登録請求の範囲】
【請求項１】
筆記ボード支持フレームのスライドガイドに、筆記ボードが移動自在に設置された移動式筆記ボードの緩衝装置であって、
前記スライドガイドに、下方に行くに連れて高さが高くなるスロープ部と、そのスロープ部の頂部の下部に設けられた凹部と、その凹部の下部に突出して設けられ、前記スロープ部の頂部の高さよりも高いストッパ部とからなるローラ受け体を取り付け、
前記筆記ボードのスライドガイド側の端部に、緩衝装置ケースを取り付け、
前記ローラ受け体のスロープ部、前記凹部、前記ストッパ部に係合するローラを先端に回転自在に設けたローラアームの基端を、前記緩衝装置ケースに設けた支持軸を中心にして回動可能に設け、
前記緩衝装置ケースに、前記ローラアームの回動上限位置を保持する第１スプリングと、前記ローラアームの回動下限手前の準安定位置を保持する第２スプリングと、前記ローラアームの回動動作を緩慢にさせるアブソーバとを設けたことを特徴とする移動式筆記ボードの緩衝装置。
【請求項２】
前記移動式筆記ボードは、昇降式黒板である請求項１記載の移動式筆記ボードの緩衝装置。
【請求項３】
前記移動式筆記ボードは、昇降式ホワイトボードである請求項１記載の移動式筆記ボードの緩衝装置。
【請求項４】
前記移動式筆記ボードは、横移動式ホワイトボードである請求項１記載の移動式筆記ボードの緩衝装置。
【考案の詳細な説明】
【技術分野】
【０００１】
本考案は、教室や会議室等に設置される昇降式黒板（緑板、ホワイトボードも含む）や横移動式ホワイトボード等の移動式筆記ボードの移動時の衝撃を緩和する緩衝装置に関する。
【背景技術】
【０００２】
学校の教室や会議室などで使用される大型の黒板においては、チョークで文字などを記載し易い位置にするために下降させたり、その記載した文字などを見易い位置にするために２枚の黒板を上昇したりすることができる昇降式黒板がある。
【０００３】
通常は、２枚の黒板の側部にワイヤを取り付け、ワイヤを滑車に懸けて、一方の黒板が下降するときに他方の黒板が上昇するような仕組みになっている。昇降式黒板では、一方の黒板が勢い良く下降すると、取付枠に激突して大きな衝撃音が出て、黒板を使用する者も列席者も不快である。また、不注意で、下降した黒板に指を挟んでしまうこともある。
【０００４】
特許文献１には、上部黒板、下部黒板の上面側に、衝撃を吸収する弾性部材を付着した昇降式黒板が開示されている。
【０００５】
また、非特許文献１には、上部黒板、下部黒板の側部にブレーキ付きギヤを設け、黒板枠には、前記ギヤと噛み合うラックを上下に設けた黒板が開示されている。
【０００６】
一方、引き戸における緩衝機構として、特許文献２に開示されたような、緩衝部を有する緩衝機構本体が、引き戸のスライド方向の後ろ側に位置する後端上部に組み込まれ、緩衝機構本体の緩衝部との接触により引き戸のスライド移動を減速させ、停止させる緩衝機構受け具が、緩衝機構本体に対向する位置の鴨居に配設されている引き戸における緩衝機構の取付構造がある。
【先行技術文献】
【特許文献】
【０００７】
【特許文献１】実登第３０４４６５６号公報
【特許文献２】特開２００９−３０２５１号公報
【非特許文献】
【０００８】
【非特許文献１】日学株式会社  上下式黒板＆ホワイトボード（ブレーキ機構付き）、平成２３年９月１３日検索、インターネット<http://www.nichigaku.co.jp/pages/school-10.html>
【考案の概要】
【考案が解決しようとする課題】
【０００９】
前掲の特許文献１に開示された昇降式黒板では、衝撃を吸収する弾性部材を黒板が当たる部分に設けているが、弾性部材では、激突音は鈍くなるが、衝撃が緩和されるのみで、衝撃は残る。
【００１０】
前掲の非特許文献１に開示されたブレーキ機構は、ギヤとラックとの組み合わせであり、徐々に止まるため、衝撃音は無いが、ギヤとラックの噛み合いに精度が必要で、使用しているうちに噛み合いのクリアランスの変化や摩耗により、調整や保守が必要になることが考えられる。
【００１１】
一方、特許文献２に開示された緩衝機構の取付構造は、引き戸を対象にしたものであり、昇降式黒板の緩衝装置は対象としていない。
【００１２】
そこで本考案は、移動式筆記ボードが移動するときの衝撃や衝突音を無くすとともに、調整や保守が不要な緩衝装置を提供することを目的とする。
【課題を解決するための手段】
【００１３】
前記課題を解決するため、本考案は、筆記ボード支持フレームのスライドガイドに、筆記ボードが移動自在に設置された移動式筆記ボードの緩衝装置であって、
前記スライドガイドに、下方に行くに連れて高さが高くなるスロープ部と、そのスロープ部の頂部の下部に設けられた凹部と、その凹部の下部に突出して設けられ、前記スロープ部の頂部の高さよりも高いストッパ部とからなるローラ受け体を取り付け、
前記筆記ボードのスライドガイド側の端部に、緩衝装置ケースを取り付け、
前記ローラ受け体のスロープ部、前記凹部、前記ストッパ部に係合するローラを先端に回転自在に設けたローラアームの基端を、前記緩衝装置ケースに設けた支持軸を中心にして回動可能に設け、
前記緩衝装置ケースに、前記ローラアームの回動上限位置を保持する第１スプリングと、前記ローラアームの回動下限手前の準安定位置を保持する第２スプリングと、前記ローラアームの回動動作を緩慢にさせるアブソーバとを設けたことを特徴とする。
【００１４】
なお、前記移動式筆記ボードは、昇降式黒板、昇降式ホワイトボード、あるいは横移動式ホワイトボードとすることができる。
【００１５】
本考案においては、筆記ボード支持フレームのスライドガイドの下部にローラ受け体を取り付け、筆記ボードのスライドガイド側の端部に緩衝装置ケースを取り付けることにより、次のような動作で緩衝が行われる。なお、筆記ボードの移動方向は、簡単のために上下方向として説明する。
（１）まず、筆記ボードが上昇した位置では、緩衝装置ケースに設けられているローラアームは準安定位置にあるようにする。
（２）筆記ボードを手で下降させると、ローラアーム先端のローラは、やがてローラ受け体のスロープ部に接触する。
（３）さらに筆記ボードが下降すると、ローラアーム先端のローラはスロープ部により押さえつけられ、スロープ部の頂部を通過すると、凹部の下部のストッパ部により受け止められる。
（４）ストッパ部に受け止められたローラは、上下方向には行き場が無いため、ストッパ部の上面に沿って凹部の底部側に移動する。この間、ローラの位置は水平方向に移動するが、筆記ボードは緩衝装置ケースと一体に下降するため、ローラアームは緩衝装置ケースに対して支持軸を中心にして回動することになる。緩衝装置ケースには、ローラアームの回動動作を緩慢にさせるアブソーバが設けられているため、筆記ボードは、ゆっくりと下降する。
（５）ローラアームが緩衝装置ケースに対して回動上限位置まで回動すると、筆記ボードは止まる。
【００１６】
なお、筆記ボードが昇降式の場合は、筆記ボードの自重が作用して下限位置まで下降するが、筆記ボードが横移動式の場合は、筆記ボードの開放位置では第２スプリングがローラアームを準安定位置に保持し、筆記ボードの閉鎖位置では第１スプリングの引っ張り作用でローラアームを回動上限位置まで移動させるため、筆記ボードはゆっくりと閉鎖位置まで自動的に誘導される。
【考案の効果】
【００１７】
本考案によれば、筆記ボード支持フレームのスライドガイドに、下方に行くに連れて高さが高くなるスロープ部と、そのスロープ部の頂部の下部に設けられた凹部と、その凹部の下部に突出して設けられ、スロープ部の頂部の高さよりも高いストッパ部とからなるローラ受け体を取り付け、筆記ボードのスライドガイド側の端部に、緩衝装置ケースを取り付け、ローラ受け体のスロープ部、凹部、ストッパ部に係合するローラを先端に回転自在に設けたローラアームの基端を、緩衝装置ケースに設けた支持軸を中心にして回動可能に設け、緩衝装置ケースに、ローラアームの回動上限位置を保持する第１スプリングと、ローラアームの回動下限手前の準安定位置を保持する第２スプリングと、ローラアームの回動動作を緩慢にさせるアブソーバとを設けたことにより、移動式筆記ボードが移動するときの衝撃や衝突音を無くすとともに、調整や保守が不要な緩衝装置が得られる。
【図面の簡単な説明】
【００１８】
【図１】本考案の実施の形態に係る緩衝装置を備えた昇降式ホワイトボードの一部切欠正面図である。
【図２】本考案の実施の形態に係る緩衝装置を示すものであり、（ａ）はケースの前面を除いた正面図、（ｂ）は側面図、（ｃ）は平面図である。
【図３】本考案の実施の形態に係る緩衝装置の動作工程を示す説明図である。
【図４】本考案の実施の形態に係る緩衝装置の動作工程を示す説明図である。
【図５】本考案の実施の形態に係る緩衝装置の動作工程を示す説明図である。
【図６】本考案の実施の形態に係る緩衝装置の動作工程を示す説明図である。
【考案を実施するための形態】
【００１９】
以下、本考案の実施の形態を、図面を用いて具体的に説明する。
図１に示すように、本考案の実施の形態に係る緩衝装置を備えた昇降式ホワイトボード１は、ホワイトボード支持フレーム（以下、単に「支持フレーム」ということがある。）２の側部に固定されたスライドガイド３，４間に、前後のホワイトボード５，６が昇降自在に設けられている。ホワイトボード５と６は、スライドガイド３，４の上方に設けられた固定滑車（図示せず）に中途部が掛け渡されたチェーンやワイヤの両端に固定されており、一方のホワイトボードを下ろせば、他方のホワイトボードが上がるようになっている。
【００２０】
スライドガイド３，４の下部には、ホワイトボード５，６のそれぞれに対応するローラ受け体７が固定されており、ホワイトボード５，６の両側部の下部には緩衝装置アセンブリ８が取り付けられている。
【００２１】
緩衝装置アセンブリ８は、図２に示すように、緩衝装置ケース（以下、単に「ケース」ということがある。）９内に、ローラアーム１０が支持軸１１を中心として回動自在に取り付けられており、ローラアーム１０の先端には、ローラ１２が回転自在に取り付けられている。ローラアーム１０には、ローラアーム１０を回動上限位置に回動するように付勢する第１スプリング（コイルばね）１３と、ローラアーム１０に固定されたカム１５の凹部１５ａに先端の凸部１４ａが嵌入することによりローラアーム１０の回動下限手前の準安定位置（図２（ａ）に示す位置）を保持する第２スプリング（板ばね）１４が設けられている。また、ケース９とローラアーム１０の間には、ローラアーム１０の回動動作を緩慢にさせるアブソーバ１６が設けられている。
【００２２】
ローラ受け体７は、図３に拡大して示すように、下方に行くに連れて高さが高くなるスロープ部７ａと、そのスロープ部７ａの頂部の下部に設けられた凹部７ｂと、その凹部７ｂの下部に突出して設けられ、スロープ部７ａの頂部の高さよりも高いストッパ部７ｃとを有していて、スライドガイド３の下部にねじ等で固定される。
【００２３】
緩衝装置アセンブリ８は、図３に示すように、ホワイトボード５の側部下方を切り欠いて設けた凹部にねじ１７で取り付けられる。なお、緩衝装置アセンブリ８、ローラ受け体７としては、例えば、パナソニック電工株式会社の引戸用ソフトクローズ機構に用いられているＭＪＢ９２０Ｎ、ＭＪＢ９３０Ｎを用いることができる。
【００２４】
以下、本考案の実施の形態に係る緩衝装置の動作工程を図３〜図６を参照しながら説明する。
（１）図３に示すように、ホワイトボード５が上昇した位置では、ケース９に設けられているローラアーム１０はカム１５の凹部１５ａに第２スプリング１４の凸部１４ａが係合した準安定位置にあるようにする。このとき、ローラ１２は下垂した状態にある。
【００２５】
（２）ホワイトボード５を手で下降させると、ローラアーム１０先端のローラ１２は、やがて図３の二点鎖線で示すように、ローラ受け体７のスロープ部７ａに接触する。
【００２６】
（３）さらにホワイトボード５が下降すると、図４に示すようにローラアーム１０先端のローラ２はスロープ部７ａにより押さえつけられ、スロープ部７ａの頂部を通過すると、凹部７ｂの下部のストッパ部７ｃにより受け止められる。
【００２７】
（４）ストッパ部７ｃに受け止められたローラ１２は、上下方向には行き場が無いため、図５に示すように、ストッパ部７ｃの上面に沿って凹部７ｂの奥側に移動する。この間、ローラ１２の位置は水平方向に移動するが、ホワイトボード５はケース９と一体に下降するため、ローラアーム１２はケース９に対して支持軸１１を中心にして回動することになる。ケース９には、ローラアーム１０の回動動作を緩慢にさせるアブソーバ１６が設けられているため、ホワイトボード５は、ゆっくりと下降する。
【００２８】
（５）図６に示すように、ローラアーム１０がケース９に対して回動上限位置まで回動すると、ホワイトボード５は止まる。このとき、アブソーバ１６は、一番短縮した状態となる。
【００２９】
なお、ホワイトボード５を上昇させると、図６の位置のローラ１２がスロープ部７ａの水平な下辺に当たってローラ１２の上昇が規制されるが、ホワイトボード５は上昇するので、ローラアーム１０が支持軸１１を中心にして回動し、それに連れてローラ１２が内側に移動する。そうすると、図４のようにローラ１２がスロープ部７ａの頂部まで移動し、スロープ部７ａの頂部を乗り越してローラ受け体７から離脱し、ローラアーム１０はカム１５と第２スプリング１４の作用で図３の準安定状態に保持される。ホワイトボード５が上昇すると、後方のホワイトボード５が下降するが、後方のホワイトボード５も、スライドガイド３，４に設けられた別の昇降装置アセンブリ８とローラ受け体７により、緩衝動作が行われる。
【００３０】
上述した実施の形態では、昇降式のホワイトボードを例示したが、横移動式のホワイトボード等についても同様に緩衝動作が行われることはもちろんである。
【産業上の利用可能性】
【００３１】
本考案は、移動式筆記ボードが移動するときの衝撃や衝突音を無くすとともに、調整や保守が不要な緩衝装置として、昇降式黒板、ホワイトボード、横移動式ホワイトボード等に適用することができる。
【符号の説明】
【００３２】
１  昇降式ホワイトボード
２  ホワイトボード支持フレーム（支持フレーム）
３，４  スライドガイド
５，６  ホワイトボード
７  ローラ受け体
７ａ  スロープ部
７ｂ  凹部
７ｃ  ストッパ部
８  緩衝装置アセンブリ
９  緩衝装置ケース（ケース）
１０  ローラアーム
１１  支持軸
１２  ローラ
１３  第１スプリング（コイルばね）
１４  第２スプリング（板ばね）
１４ａ  凸部
１５  カム
１５ａ  凹部
１６  アブソーバ
１７  ねじ
【図１】
0003172931.tif 000003
【図２】
0003172931.tif 000004
【図３】
0003172931.tif 000005
【図４】
0003172931.tif 000006
【図５】
0003172931.tif 000007
【図６】
0003172931.tif 000008